(57)【要約】【課題】廃棄物輸送用コンテナのテールゲートの出入口周縁のボス部内周面に異物が密着するのを防いで蓋部材を固定する差込ピンを差し込みやすくする。【解決手段】コンテナ本体の後端開口を開閉するテールゲートに出入口を形成し、この出入口をプッシュプレート（蓋部材）で塞ぐ。プッシュプレートを、プッシュプレート側ボス部及びテールゲート側ボス部に差込ピン１０を抜き差しすることで脱着可能とする。差込ピン１０を丸棒で構成し、その外周断面が円弧状部分１１ａと直線状部分１１ｂとからなるように軸方向に連続した面取り１１ｂを行う。【選択図】図５
2010018392.tif 000002
【特許請求の範囲】
【請求項１】
後端開口を有するコンテナ本体と、
該後端開口を開閉するテールゲートと、
該テールゲートに形成された出入口と、
該出入口を塞ぐ蓋部材とを備えた廃棄物輸送用コンテナであって、
上記蓋部材は、該蓋部材及び上記テールゲートにそれぞれ設けたボス部に差込ピンを抜き差しすることで脱着可能に構成され、
上記差込ピンは、丸棒又は丸パイプで構成され、その外周断面が円弧状部分と直線状部分とからなるように軸方向に連続した面取りが行われている
ことを特徴とする廃棄物輸送用コンテナ。
【請求項２】
請求項１に記載の廃棄物輸送用コンテナにおいて、
上記差込ピンは、
平行に延びる一対の丸棒又は丸パイプで構成された差込部と、
該一対の差込部を連結する連結部とを備え、
上記面取りは、上記差込部に行われている
ことを特徴とする廃棄物輸送用コンテナ。
【請求項３】
請求項２に記載の廃棄物輸送用コンテナにおいて、
上記面取りは、円周方向に所定の距離をあけて複数箇所設けられている
ことを特徴とする廃棄物輸送用コンテナ。
【請求項４】
請求項３に記載の廃棄物輸送用コンテナにおいて、
上部に投入口及び手前側に押出口がそれぞれ開口されたコンパクタ本体と、
上記コンパクタ本体に前後摺動自在に収容される押込ラムとを有するコンパクタに連結可能に構成され、
上記後端開口が上記押出口に連結されたときに、上記蓋部材は、上記差込ピンを該蓋部材のボス部から抜き出した状態で上記押込ラムの手前側に係合される
ことを特徴とする廃棄物輸送用コンテナ。
【発明の詳細な説明】
【技術分野】
【０００１】
本発明は、廃棄物を輸送する廃棄物輸送用コンテナに関するものである。
【背景技術】
【０００２】
従来より、後端開口を有するコンテナ本体と、後端開口を開閉するテールゲートと、このテールゲートに形成された出入口と、この出入口を塞ぐ蓋部材とを備えた廃棄物輸送用コンテナは知られている（例えば、特許文献１参照）。この蓋部材は、テールゲート及び蓋部材にそれぞれ設けたボス部に差込ピンを抜き差しすることで脱着可能に構成されている。
【０００３】
廃棄物輸送用コンテナは、例えば特許文献２に示すコンパクタに連結可能に構成されている。このコンパクタは、上部に投入口及び手前側に押出口がそれぞれ開口されたコンパクタ本体と、コンパクタ本体に前後摺動自在に収容される押込ラムと、押出口上部の格納部に格納可能かつ上下に昇降可能な昇降板とを有する。このコンパクタに連結されたときには、下側蓋部材が押込ラムの手前側に係合されると共に、上側蓋部材が昇降板に係合されるように構成されている。
【特許文献１】特開昭６３−２９４３４４号公報
【特許文献２】特開昭６２−１４６８０１号公報
【発明の開示】
【発明が解決しようとする課題】
【０００４】
しかしながら、従来の廃棄物輸送用コンテナでは、ボス部と差込ピンとの間には、差し込みやすさ等を考慮して隙間が設けられている。この隙間に粉塵などの異物が侵入し、差込ピンが振動などにより動いた際や抜き差しする際にその異物をボス部の内周面に押し付け、異物が内周面に密着する。これが繰り返されると、異物が堆積してより大きな力を加えなければ差込ピンをさらにボス部の奥に差し込めなくなるという問題があった。
【０００５】
本発明は、かかる点に鑑みてなされたものであり、その目的とするところは、廃棄物輸送用コンテナのテールゲートの出入口周縁のボス部内周面に異物が密着するのを防いで蓋部材を固定する差込ピンを差し込みやすくすることにある。
【課題を解決するための手段】
【０００６】
上記の目的を達成するために、この発明では、差込ピンの外周に軸方向に延びる面取りを設けた。
【０００７】
具体的には、第１の発明では、
後端開口を有するコンテナ本体と、該後端開口を開閉するテールゲートと、該テールゲートに形成された出入口と、該出入口を塞ぐ蓋部材とを備えた廃棄物輸送用コンテナを対象とする。
【０００８】
そして、上記蓋部材は、該蓋部材及び上記テールゲートにそれぞれ設けたボス部に差込ピンを抜き差しすることで脱着可能に構成され、
上記差込ピンは、丸棒又は丸パイプで構成され、その外周断面が円弧状部分と直線状部分とからなるように軸方向に連続した面取りが行われている。
【０００９】
上記の構成によると、差込ピン外周とボス部内周との隙間に異物が入り込んだとしても、外周断面が直線状である部分はボス部内周に当接しないので、面取りが設けられていないものに比べて異物が差込ピンによって圧縮されにい。このため、ボス部内周面に異物が密着するのが効果的に防止される。
【００１０】
第２の発明では、第１の発明において、
上記差込ピンは、
平行に延びる一対の丸棒又は丸パイプで構成された差込部と、
該一対の差込部を連結する連結部とを備え、
上記面取りは、上記差込部に行われている。
【００１１】
上記の構成によると、差込ピンが連結部で連結された差込部を備えているので、振動や抜き差し動作により一対の差込部が連動して隙間に入り込んだ異物をすりこぎやすくなるが、面取りの作用により、ボス部内周面に異物が密着しない。また、差込部が１本の丸棒又は丸パイプからなるものに比べてボス部内周面に異物が密着したときに自由度が低く極めて差し込みにくくなるが、面取りの作用により異物が密着しがたいので、差込ピンが差し込みにくくなることはない。
【００１２】
第３の発明では、第２の発明において、
上記面取りは、円周方向に所定の距離をあけて複数箇所設けられている。
【００１３】
上記の構成によると、外周断面が円弧状の部分が適度にボス部内周面に当接しながら、面圧が高くなるのを防ぎ、円周方向に所定の間隔をあけて配置された複数の面取り部によりボス部内周面に異物が密着するのが効果的に防止される。
【００１４】
第４の発明では、第３の発明において、
上部に投入口及び手前側に押出口がそれぞれ開口されたコンパクタ本体と、
上記コンパクタ本体に前後摺動自在に収容される押込ラムとを有するコンパクタに連結可能に構成され、
上記後端開口が上記押出口に連結されたときに、上記蓋部材は、上記差込ピンを該蓋部材のボス部から抜き出した状態で上記押込ラムの手前側に係合されるように構成されている。
【００１５】
上記の構成によると、差込ピンの面取りによって異物の密着が防止されるので、コンテナをコンパクタ本体に接続する際に、差込ピンの抜き差し作業が容易となる。
【発明の効果】
【００１６】
以上説明したように、本発明によれば、廃棄物輸送用コンテナのテールゲートに形成した出入口を塞ぐ蓋部材を固定する差込ピンの外周断面に軸方向に連続した面取りを形成したことにより、ボス部内周面に異物が密着するのを防いで差込ピンを差し込みやすくすることができる。
【発明を実施するための最良の形態】
【００１７】
以下、本発明の実施形態を図面に基づいて説明する。
【００１８】
−廃棄物輸送用コンテナの構成−
図１〜図３は本発明の実施形態の廃棄物輸送用コンテナ１を示し、このコンテナ１は、後端開口２ａを有する直方体状のコンテナ本体２を備えている。図３に破線で示すように、後端開口２ａは、コンテナ１の後端のほぼ全体を占め、この後端開口２ａの上縁の一対に設けたテールゲート支持部２ｂに後端開口２ａを開閉するテールゲート３が軸支されている。そして、テールゲート３を開いた状態でコンテナ１をダンプすれば、コンテナ１内の廃棄物を排出することができる。
【００１９】
コンテナ１の下端の四角にはローラ４が回転可能に設けられている。コンテナ１の前面には、搭載用フック５が設けられ、コンテナ１を図示しない輸送用車両に積み込み又は積み卸しする際に、輸送用車両のアームが搭載用フック５を引っ掛けるようになっている。
【００２０】
図３に示すように、テールゲート３は、テールゲート支持部２ｂを中心に前後に回動可能に構成され、その上下左右中央に矩形状の出入口３ａが形成されている。出入口３ａは、上下に延びる左右一対の縦角パイプ３ｂと左右に延びる上下一対の横角パイプ３ｃとで囲まれた領域で構成されている。コンテナ１の輸送時には、この出入口３ａの上側が上側カバー６で塞がれ、下側が蓋部材としてのプッシュプレート７によって塞がれるようになっている。
【００２１】
具体的には、上側カバー６は、後端開口２ａの上縁の左右端部に設けた一対の上側カバー支持部２ｃに前後に回動可能に支持されている。上側カバー６は、出入口３ａよりも大きな幅を有し、後方から出入口３ａを覆っている。上側カバー６は、前方に延びる一対のアーム部６ａを有し、このアーム部６ａの前端は、上側カバー支持部２ｃに回転可能に支持された回動ピン６ｂに連結されている。この回動ピン６ｂの左右外側端部は、押上プレート６ｃに連結されている。押上プレート６ｃは、側面視で後方へ向かって上方へ傾斜する形状を備え、押上プレート６ｃを前方に回動させれば、上側カバー６が連動して回動し、出入口３ａの上側が開くようになっている。図４に示すように、上側カバー６の下端は、前方に向かって傾斜し、廃棄物が漏れ出さないように下端にゴムプレート６ｄが設けられている。
【００２２】
一方、出入口３ａを形成する左右の縦角パイプ３ｂには、円筒状のテールゲート側ボス部３ｄが上下に１本ずつ溶接されている。また、プッシュプレート７は、矩形状を有し、テールゲート側ボス部３ｄに対応する部分にプッシュプレート側ボス部７ａが設けられている。このプッシュプレート側ボス部７ａの貫通孔は差し込みやすさなどの理由から、断面が角の丸い四角形となっている。そして、プッシュプレート７は、テールゲート側ボス部３ｄ及びプッシュプレート側ボス部７ａに差込ピン１０を差し込んだ状態でテールゲート３に固定され、差込ピン１０を抜き出した状態で取り外し可能に構成されている。また、プッシュプレート７の左右上下には、フック挿入用開口７ｂがそれぞれ開口されている。
【００２３】
図５に示すように、差込ピン１０は、平行に延びる一対の丸棒で構成された差込部１１と、これら一対の差込部１１を連結する連結部１２とを備えている。なお、差込部１１は、軽量化のために丸パイプで構成してもよい。
【００２４】
そして、本発明の特徴として、図６にも示すように、差込部１１には、丸棒の外周断面が円弧状部分１１ａと直線状部分１１ｂとからなるように軸方向に連続した面取り１１ｂが行われている。本実施形態では、円周方向に均等に平坦面を形成するように丸棒が削り込まれている。例えば、円弧状部分１１ａが全周に対して２５％以上３０％以下残るように面取り１１ｂが８箇所形成されている。すなわち、２５％よりも小さくなると、面圧が高くなりすぎて好ましくなく、一方、３０％よりも大きくなると、異物の密着を防ぐ効果が低下してしまうからである。また、テールゲート側ボス部３ｄの内径は、差込部１１の面取り前の外径に対して若干クリアランスを有している。面取りの個数は、８箇所に限定されず、何箇所でもよい。なお、差込部１１の先端には、差込ピン１０を挿入しやすくする傾斜を設けるためのテーパ面１１ｃが形成されている。
【００２５】
また、一対の差込部１１には、一対のキリ孔１１ｄが形成され、これらキリ孔１１ｄに連結部１２の丸鋼１２ａが挿入されている。一対の丸鋼１２ａは、補強等のために一対のプレート１２ｂの差込部１１側が連結され、中央に開口１２ｃが形成されている。また、丸鋼１２ａの一方の面には棒鋼１２ｄが溶接されている。４つのキリ孔１１ｄのうち１つは貫通され、一方の丸鋼１２ａの先端は、この貫通したキリ孔１１ｄから飛び出して突出部１２ｅを形成している。
【００２６】
図１に示すように、差込ピン１０は、テールゲート３に設けたピンロック機構８により、意図せず抜け出さないように構成されている。つまり、ピンロック機構８は、回動式の規制部８ａと、この規制部８ａを引っ張る引張バネ８ｂとを備え、図３に示すように、引張バネ８ｂの付勢力により、規制部８ａが差込ピン１０の丸鋼１２ａの突出部１２ｅを左右外側から押さえることで、差込ピン１０がロックされている。規制部８ａを引張バネ８ｂに抗して回動させると、差込ピン１０のロックが解除されるようになっている。なお、テールゲート３は、コンテナ１の下側に設けた固縛機構９で固縛されるようになっている。
【００２７】
−コンパクタの構成−
図７〜図１２に上記コンテナ１に廃棄物５０を圧縮して積み込むコンパクタ２０を示す。このコンパクタ２０は、上部に投入口２１ａ及び手前側に押出口２１ｂがそれぞれ開口された中空のコンパクタ本体２１を備えている。コンパクタ本体２１の投入口２１ａには、図示しない塵芥収集車などから排出された廃棄物５０が投入される受入供給設備２２が接続されている。コンパクタ２０の手前側には、コンテナ１を載置するための搬入口２０ａが設けられている。コンパクタ本体２１の下側には、搬入口２０ａ上のコンテナ１を引き寄せ又は押し戻すコンテナ駆動装置２０ｂが設けられている。
【００２８】
そして、コンパクタ本体２１には、コンパクタ本体２１内部に挿入された廃棄物５０をコンテナ１側へ押し込む押込ラム２３が前後摺動自在に収容されている。
【００２９】
受入供給設備２２には、上側カバー６を回動させる上側カバー開閉装置２２ａが設けられている。この上側カバー開閉装置２２ａが押上プレート６ｃを押すことにより、上側カバー６が回動されて出入口３ａの上側が開放されるようになっている。また、受入供給設備２２は、上下に昇降可能な昇降板２２ｂを備えている。
【００３０】
図１０に示すように、コンパクタ本体２１の左右側面には、コンテナ１をつかんでその後端開口２ａを押出口２１ｂに連結する固縛装置２４が設けられている。固縛装置２４は、左右に回動する引っ掛けアーム２４ａを備え、この引っ掛けアーム２４ａの先端を後端開口２ａの左右縁部２ｄに引っ掛けるようになっている。
【００３１】
図１１に示すように、コンパクタ本体２１の左右側面の差込ピン１０に対応する位置には、この差込ピン１０を抜き差しする抜差用シリンダ２５が設けられている。この抜差用シリンダ２５に設けた鉤部２５ａを差込ピン１０の連結部１２の開口１２ｃに引っ掛けて伸縮させることで差込ピン１０がテールゲート３に対して抜き差しされるようになっている。
【００３２】
一方、図８に破線で示すように、押込ラム２３の手前側には、差込ピン１０が抜き出された状態のプッシュプレート７を係合して押込ラム２３に固定するフック２６が設けられている。
【００３３】
つまり、上側カバー６を開放し、かつ押込ラム２３側にプッシュプレート７を取り付けた状態で、テールゲート３の出入口３ａが全開し、押込ラム２３がこの出入口３ａを通して廃棄物５０をコンテナ１内に押し込むように構成されている。
【００３４】
−廃棄物の詰め込み作業−
次に、本実施形態にかかる廃棄物輸送用コンテナ１に廃棄物５０を詰め込む作業について説明する。
【００３５】
まず、図７に示すように、コンパクタ２０の搬入口２０ａにコンテナ１を載置する。このとき、コンテナ１のテールゲート３、上側カバー６及びプッシュプレート７は全て閉じている。
【００３６】
次いで、コンパクタ２０のコンテナ駆動装置２０ｂを矢印の方向へ伸張させてコンテナ１の下端に引っ掛けた後、縮小させてコンテナ１をコンパクタ本体２１に引き寄せる。
【００３７】
すると、図８に示すように、上側カバー開閉装置２２ａに押上プレート６ｃが当接し、コンテナ１が引き寄せられるにつれて矢印の方向に上側カバー６が回動して出入口３ａの上側が開く。
【００３８】
次いで、図９に示すように、コンテナ駆動装置２０ｂによる引き寄せが終了し、押出口２１ｂと出入口３ａとが連結される。
【００３９】
次いで、図１０に示すように、開いていた固縛装置２４のアーム２４ａを閉じてコンテナ１の左右縁部２ｄに引っ掛けてコンテナ１をコンパクタ本体２１に固定する。
【００４０】
次いで、図１１に示すように、ピンロック機構８のロックを解除した状態で差込ピン１０の開口１２ｃに入り込んでいる抜差用シリンダ２５の鉤部２５ａを外側に移動させて差込ピン１０を抜き出す。すると、図９に示すように、押込ラム２３のフック２６にプッシュプレート７が係合しているので、図１２に示すように、押込ラム２３をコンテナ１から引き離せば、プッシュプレート７は押込ラム２３側に残される。このことで、出入口３ａが全開する。
【００４１】
次いで、押込ラム２３を後退させた状態で投入口２１ａに放り込まれた廃棄物５０が押込ラム２３の手前側に流れ込み、押込ラム２３を前進させることで出入口３ａを通してコンテナ１内に廃棄物５０が押し込まれる。コンテナ１内が満量になったのを検知するまで、この押込ラム２３の前進及び後退動作が繰り返され、圧縮された廃棄物５０がコンテナ１内に充填される。
【００４２】
次いで、図１３に示すように、押込ラム２３を後退させると共に、受入供給設備２２の昇降板２２ｂを下降させて廃棄物５０を出入口３ａから分離させる（ごみきり動作）。
【００４３】
次いで、再び押込ラム２３を前進させて廃棄物５０を圧縮させてこぼれ落ちる量を少なくする（深押し込み動作）。
【００４４】
次いで、押込ラム２３を接続位置まで後退させた後、図１１に示すように、抜差用シリンダ２５の鉤部２５ａを内側に移動させて差込ピン１０をテールゲート側ボス部３ｄ及びプッシュプレート側ボス部７ａに差し込む。このとき、面取り１１ｂの効果により、差込ピン１０は、極めてスムーズに差し込まれる。このことで、プッシュプレート７が再びテールゲート３に固定される。
【００４５】
次いで、図１４に示すように、コンテナ駆動装置２０ｂを伸張させて出入口３ａと押出口２１ｂとを切り離した後、上側カバー６を閉じた状態でコンテナ１が輸送用車両に積み込まれる。
【００４６】
このように、プッシュプレート７が押込ラム２３に係合された際に、差込ピン１０外周とテールゲート側ボス部３ｄ内周との隙間に異物が入り込んだとしても、外周断面の直線状部分１１ｂはテールゲート側ボス部３ｄ内周に当接しないので、面取り１１ｂが設けられていないものに比べて異物が差込ピン１０によって圧縮されにくく、また、振動等により差込ピン１０が動いたときに、テールゲート側ボス部３ｄ内周に密着しようとする異物が面取り１１ｂ部分によって削り取られる。このため、テールゲート側ボス部３ｄ内周面に異物が密着するのが効果的に防止される。
【００４７】
また、差込ピン１０が連結部１２で連結された差込部１１を備えているので、振動や抜き差し動作により一対の差込部１１が連動して隙間に入り込んだ異物をすりこぎやすくなるが、面取り１１ｂの作用により、プッシュプレート側ボス部７ａ内周面に異物が密着しない。また、差込部１１が１本の丸棒又は丸パイプからなるものに比べてプッシュプレート側ボス部７ａ内周面に異物が密着したときに自由度が低く極めて差し込みにくくなるが、面取り１１ｂの作用により異物が密着しがたいので、差込ピン１０が差し込みにくくなることはない。
【００４８】
さらに、面取り１１ｂを円周方向に所定の距離をあけて複数箇所設けたことにより、円弧状部分１１ａが適度にプッシュプレート側ボス部７ａ内周面に当接しながら、面圧が高くなるのを防ぎ、円周方向に均等に配置された複数の面取り１１ｂ部により効果的にプッシュプレート側ボス部７ａ内周面に異物が密着するのが防止される。
【００４９】
−実施形態の効果−
したがって、本実施形態にかかる廃棄物輸送用コンテナ１によると、テールゲート３に形成した出入口３ａを塞ぐプッシュプレート７を固定する差込ピン１０の外周断面に軸方向に連続した面取り１１ｂを形成したことにより、プッシュプレート側ボス部７ａ内周面に異物が密着するのを防いで差込ピン１０を差し込みやすくすることができる。
【００５０】
（その他の実施形態）
本発明は、上記実施形態について、以下のような構成としてもよい。
【００５１】
すなわち、上記実施形態では、差込ピン１０は、プッシュプレート７にのみ使用したが、蓋部材としての脱着式のサブゲート１０７にも使用してもよい。すなわち、図１５に示すように、サブゲート１０７の左右からも差込ピン１０を抜き差しするようにする。この場合には、サブゲート１０７は、上記実施形態のプッシュプレート１０７と同様の脱着式とし、テールゲート３の上側にもテールゲート側ボス部１０３ｄを設け、また、サブゲート１０７にサブゲート側ボス部１０７ａと、フック挿入用開口１０７ｂとを設ける。サブゲート１０７とプッシュプレート７との間の隙間は、上記実施形態の上側カバー６と同様の隙間カバー１０６で開閉自在に覆えばよい。そして、コンパクタ２０の押出口２１ｂ上部の昇降板２２ｂに、プッシュプレート７と同様の方法でサブゲート１０７を係合するようにすればよい。差込ピン１０の抜き差しも上記実施形態の差込ピン１０と同様に行えばよい。
【００５２】
なお、以上の実施形態は、本質的に好ましい例示であって、本発明、その適用物や用途の範囲を制限することを意図するものではない。
【図面の簡単な説明】
【００５３】
【図１】本発明の実施形態にかかる廃棄物輸送用コンテナの側面図である。
【図２】廃棄物輸送用コンテナの平面図である。
【図３】廃棄物輸送用コンテナの背面図である。
【図４】図３のVI−VI線断面図である。
【図５】差込ピンを示し、（ａ）が正面図で、（ｂ）が側面図である。
【図６】差込部を示し、（ａ）が平面図で、（ｂ）が側面図である。
【図７】廃棄物の積み込み作業の一工程を示す側方断面図である。
【図８】廃棄物の積み込み作業の他の工程を示す側方断面図である。
【図９】廃棄物の積み込み作業の他の工程を示す側方断面図である。
【図１０】固縛装置を上から見た断面図である。
【図１１】抜差用シリンダを上から見た断面図である。
【図１２】廃棄物の積み込み作業の他の工程を示す側方断面図である。
【図１３】廃棄物の積み込み作業の他の工程を示す側方断面図である。
【図１４】廃棄物の積み込み作業の他の工程を示す側方断面図である。
【図１５】その他の実施形態にかかる図３相当図である。
【符号の説明】
【００５４】
１      廃棄物輸送用コンテナ
２      コンテナ本体
２ａ    後端開口
３      テールゲート
３ａ    出入口
３ｄ    テールゲート側ボス部
７      プッシュプレート（蓋部材）
７ａ    プッシュプレート側ボス部
１０      差込ピン
１１      差込部
１１ａ    円弧状部分
１１ｂ    直線状部分（面取り）
１２      連結部
２０      コンパクタ
２１      コンパクタ本体
２１ａ    投入口
２１ｂ    押出口
２３      押込ラム
１０３ｄ    テールゲート側ボス部
１０７      サブゲート（蓋部材）
１０７ａ    サブゲート側ボス部
１０７ｂ    フック挿入用開口
【図１】
2010018392.tif 000003
【図２】
2010018392.tif 000004
【図３】
2010018392.tif 000005
【図４】
2010018392.tif 000006
【図５】
2010018392.tif 000007
【図６】
2010018392.tif 000008
【図７】
2010018392.tif 000009
【図８】
2010018392.tif 000010
【図９】
2010018392.tif 000011
【図１０】
2010018392.tif 000012
【図１１】
2010018392.tif 000013
【図１２】
2010018392.tif 000014
【図１３】
2010018392.tif 000015
【図１４】
2010018392.tif 000016
【図１５】
2010018392.tif 000017